(57)【特許請求の範囲】
【請求項１】
取っ手部に手を掛けることにより引き出し可能な複数の給紙段を備えた画像形成装置において、
前記取っ手部に手が掛かったことを検知する検知スイッチと、
前記複数の給紙段から所定の給紙段を選択して給紙を行うように制御するとともに、前記取っ手部に手が掛かったことを検知した検知スイッチが給紙中の給紙段のものであるかを判別する制御部と、を備え、
取っ手部に手が掛かったことを検知した検知スイッチが給紙中の給紙段のものである場合は、前記制御部は、前記検知スイッチが前記取っ手部に手が掛かったことを検知している間は、給紙中の給紙段以外で同じサイズの用紙が収容された給紙段から給紙を行うことを特徴とする画像形成装置。
【請求項２】
取っ手部に手を掛けることにより引き出し可能な複数の給紙段を備えた画像形成装置において、
前記取っ手部に手が掛かったことを検知する検知スイッチと、
前記複数の給紙段から所定の給紙段を選択して給紙を行うように制御するとともに、前記取っ手部に手が掛かったことを検知した検知スイッチが給紙中の給紙段のものであるかを判別する制御部と、を備え、
取っ手部に手が掛かったことを検知した検知スイッチが給紙中の給紙段のものである場合は、前記制御部は、前記各給紙段に収容されている用紙のサイズを判別し、給紙中の給紙段以外の給紙段に前記給紙中の給紙段に収容された用紙と同じサイズの用紙が収容された給紙段の有無を判別し、同じサイズの用紙が収容された給紙段があるときは、前記検知スイッチが前記取っ手部に手が掛かったことを検知している間は、給紙中の給紙段以外で同じサイズの用紙が収容された給紙段から給紙を行うことを特徴とする画像形成装置。
【請求項３】
前記各給紙段にはその給紙段の引き出しを検知する検知手段を備え、前記制御部は前記検知手段により前記給紙中の給紙段が引き出されているときも給紙中の給紙段以外で同じサイズの用紙が収容された給紙段から給紙を行い、同じサイズの用紙を収容した給紙段がないときは給紙を停止させることを特徴とする請求項１または２記載の画像形成装置。
【請求項４】
前記制御部は、給紙中の前記給紙段の前記検知スイッチが動作したとき、同じサイズの用紙を収容した他の前記給紙段から給紙を行うか、用紙に対する転写を中止するかを選択する選択手段を備えたことを特徴とする請求項１または２に記載の画像形成装置。
【請求項５】
取っ手部に手を掛けることにより引き出し可能な複数の給紙段を備えた画像形成装置において、
前記取っ手部に手を掛けることにより動作する検知スイッチと、
収容されている用紙のサイズを検知するため前記各給紙段に設けられた用紙サイズ検知手段と、
用紙の有無を検知するため前記各給紙段に設けられた用紙有無検知手段と、
前記取っ手部に手を掛けていることを警告する警告手段と、
前記複数の給紙段から所定の給紙段を選択して給紙を行うように制御するとともに、前記検知スイッチが動作したときその検知スイッチが給紙中の給紙段であるかを判別し、給紙中の給紙段の場合はその用紙と同じサイズの用紙が収容されている前記給紙段を検索し、同一サイズの用紙がある給紙段があるときは、その給紙段からの給紙に切り替え、前記検索条件に合致する給紙段がないときは給紙動作を停止し、前記警告手段を動作させる制御部と、
を備えたことを特徴とする画像形成装置。
【請求項６】
前記各給紙段にはその給紙段の引き出しを検知する検知手段を備え、前記制御部は前記検知手段により前記給紙中の給紙段が引き出されているときも同じサイズの用紙が収容された給紙段から給紙を行い、同じサイズの用紙がないときは前記警告手段を動作させることを特徴とする請求項５記載の画像形成装置。
【請求項７】
前記制御部は、前記引き出された給紙段が再セットされたとき、この給紙段の用紙の有無をチェックし、用紙がないときは切り替えた前記給紙段からの給紙を継続することを特徴とする請求項６記載の画像形成装置。
【請求項８】
前記制御部は、前記引き出された給紙段が再セットされたとき、この給紙段の用紙のサイズもチェックし、引き出す前と用紙サイズが変更されているときは、切り替えた前記給紙段からの給紙を継続させることを特徴とする請求項７記載の画像形成装置。
【請求項９】
前記制御部は、再セットされた前記給紙段に用紙がないときや用紙のサイズが引き出す前と異なるときは、用紙がない旨やセットされた用紙のサイズが引き出す前の用紙のサイズと異なる旨の警告を発することを特徴とする請求項８記載の画像形成装置。
【発明の詳細な説明】
【０００１】
【発明の属する技術分野】
本発明は複数の給紙トレイを備えた画像形成装置に関する。
【０００２】
【従来の技術】
複写機、ファクシミリ、プリンタ、印刷機などの画像形成装置において、画像が転写あるいは印刷(以下、単に印刷と称する)される用紙を収容する給紙トレイを複数段引き出し可能に設け、各段にサイズの異なった用紙を収容して、種々の原稿や用紙サイズに対応することができるようにしたり、使用頻度の高いサイズの用紙を複数の給紙トレイに収容し、使用頻度の少ないサイズの用紙は１つの給紙トレイに収容して、使用頻度の高い用紙の補充を頻繁に行なわなくて良いようにすることは広く実施されている。
【０００３】
しかしながら、ユーザが不用意に給紙中の給紙トレイを引き出すと、用紙が詰まってジャムとなる不具合があった。これを防止するためには各給紙トレイに給紙中は引き出せないように動作するロック機構を設ければよいが、コストアップになってしまう。そこで本出願人は先の特開平１０−１０１２３７号公報において、給紙動作中の給紙トレイを引き出そうとすると、警告を発し印刷動作を停止するようにした画像形成装置用の給紙装置を提案した。
【０００４】
【発明が解決しようとする課題】
上記特開平１０−１０１２３７号に記載の給紙装置は、給紙中の給紙トレイを引き出すことで警告装置が動作し、引き出しはジャムの原因となるので警告装置が動作した場合は直ちに印刷動作も停止させている。このように一旦印刷動作を停止させた場合、印刷動作の復旧に手間取り、印刷効率の低下を招く結果となっている。
本発明はこのような要望に鑑みてなされたもので、その目的は、給紙中の給紙トレイが引き出され、給紙ができなくなることによる生産性の減少を未然に防ぐことにある。
【０００６】
【課題を解決するための手段】
前記目的を達成するため、第１の手段は、取っ手部に手を掛けることにより引き出し可能な複数の給紙段を備えた画像形成装置において、前記取っ手部に手が掛かったことを検知する検知スイッチと、前記複数の給紙段から所定の給紙段を選択して給紙を行うように制御するとともに、前記取っ手部に手が掛かったことを検知した検知スイッチが給紙中の給紙段のものであるかを判別する制御部と、を備え、取っ手部に手が掛かったことを検知した検知スイッチが給紙中の給紙段のものである場合は、前記制御部は、前記検知スイッチが前記取っ手部に手が掛かったことを検知している間は、給紙中の給紙段以外で同じサイズの用紙が収容された給紙段から給紙を行うことを特徴とする。
【０００７】
第２の手段は、取っ手部に手を掛けることにより引き出し可能な複数の給紙段を備えた画像形成装置において、前記取っ手部に手が掛かったことを検知する検知スイッチと、前記複数の給紙段から所定の給紙段を選択して給紙を行うように制御するとともに、前記取っ手部に手が掛かったことを検知した検知スイッチが給紙中の給紙段のものであるかを判別する制御部と、を備え、取っ手部に手が掛かったことを検知した検知スイッチが給紙中の給紙段のものである場合は、前記制御部は、前記各給紙段に収容されている用紙のサイズを判別し、給紙中の給紙段以外の給紙段に前記給紙中の給紙段に収容された用紙と同じサイズの用紙が収容された給紙段の有無を判別し、同じサイズの用紙が収容された給紙段があるときは、前記検知スイッチが前記取っ手部に手が掛かったことを検知している間は、給紙中の給紙段以外で同じサイズの用紙が収容された給紙段から給紙を行うことを特徴とする。
【０００８】
第３の手段は、第１または第２の手段において、前記各給紙段にはその給紙段の引き出しを検知する検知手段を備え、前記制御部は前記検知手段により前記給紙中の給紙段が引き出されているときも給紙中の給紙段以外で同じサイズの用紙が収容された給紙段から給紙を行い、同じサイズの用紙を収容した給紙段がないときは給紙を停止させることを特徴とする。
第４の手段は、第１または第２の手段において、前記制御部が、給紙中の前記給紙段の前記検知スイッチが動作したとき、同じサイズの用紙を収容した他の前記給紙段から給紙を行うか、用紙に対する転写を中止するかを選択する選択手段を備えたことを特徴とする。
【０００９】
第５の手段は、取っ手部に手を掛けることにより引き出し可能な複数の給紙段を備えた画像形成装置において、前記取っ手部に手を掛けることにより動作する検知スイッチと、収容されている用紙のサイズを検知するため前記各給紙段に設けられた用紙サイズ検知手段と、用紙の有無を検知するため前記各給紙段に設けられた用紙有無検知手段と、前記取っ手部に手を掛けていることを警告する警告手段と、前記複数の給紙段から所定の給紙段を選択して給紙を行うように制御するとともに、前記検知スイッチが動作したときその検知スイッチが給紙中の給紙段であるかを判別し、給紙中の給紙段の場合はその用紙と同じサイズの用紙が収容されている前記給紙段を検索し、同一サイズの用紙がある給紙段があるときは、その給紙段からの給紙に切り替え、前記検索条件に合致する給紙段がないときは給紙動作を停止し、前記警告手段を動作させる制御部とを備えたことを特徴とする。
【００１０】
第６の手段は、第５の手段において、前記各給紙段にその給紙段の引き出しを検知する検知手段を備え、前記制御部が前記検知手段により前記給紙中の給紙段が引き出されているときも同じサイズの用紙が収容された給紙段から給紙を行い、同じサイズの用紙がないときは前記警告手段を動作させるようにしたことを特徴とする。
【００１１】
第７の手段は、第６の手段において、前記制御部が、前記引き出された給紙段が再セットされたとき、この給紙段の用紙の有無をチェックし、用紙がないときは切り替えた前記給紙段からの給紙を継続するようにしたことを特徴とする。
【００１２】
第８の手段は、第７の手段において、前記制御部が、前記引き出された給紙段が再セットされたとき、この給紙段の用紙のサイズもチェックし、引き出す前と用紙サイズが変更されているときは、切り替えた前記給紙段からの給紙を継続するようにしたことを特徴とする。
【００１３】
第９の手段は、第８の手段において、前記制御部が、再セットされた前記給紙段に用紙がないときや用紙のサイズが引き出す前と異なるときは、用紙がない旨やセットされた用紙のサイズが引き出す前の用紙のサイズと異なる旨の警告を発するようにしたことを特徴とする。
【００１４】
【発明の実施の形態】
以下、図面を参照し、本発明の実施の形態を複写機の場合を例にとって説明する。なお、以下の各実施の形態において、同等とみなせる各部には同一参照番号を付し、重複する説明は適宜省略する。
【００１５】
先ず図１ないし図５により、本発明の第１の実施の形態における構造を説明する。図１は本発明の第１の実施の形態における画像形成装置の外観を概略的に示す斜視図、図２は第１の実施の形態における給紙トレイを示す斜視図、図３は図２の給紙トレイの側面図、図４は図２の給紙トレイの正面図、図５は図２の取っ手部の構造を示す図で、（ａ）は取っ手部と取っ手部スイッチの関係を示す従断面図、（ｂ）は取っ手部スイッチのみを拡大して示す断面図である。
【００１６】
複写機は、下部に図１において手前側に引き出して用紙の補給を行うことが可能なフロントローディングタイプの４段の給紙トレイで構成された給紙トレイ(以下，給紙トレイと称する)１−１が、そして上部にコピーを操作する操作部１−２が設けられている。各給紙トレイ１−１は、トレイ前面部２−１と、このトレイ前面部２−１の略中央部に設けられた取っ手部２−２と、トレイ前面部２−１の裏面に設けられ、後述する取っ手部スイッチ５−１とエンジン制御部６−２とを接続するためのコネクタ２−３と、トレイ前面部２−１の裏面に例えば最大Ａ３あるいはＢ４の用紙が収納可能な容積を有する用紙セット部２−４とをそれぞれに有している。用紙セット部２−４内には、用紙の側面に当接して用紙の水平方向の移動を押さえる摺動自在なフェンス部材２−５が設けられ、従来と同様に、このスライド部材２−５の位置により載置された用紙のサイズを検知することができるようになっている。コネクタ２−３は給紙トレイ１−１を正しく装填したときに複写機本体に設けられたレセプタクル(図示しない)に接続され、給紙トレイ１−１を引き出すと接続が解かれ、これにより給紙カセット１−１のセット状態を監視することもできる。
【００１７】
操作部１−２は、従来の複写機と同様に、印刷のスタートや停止、用紙サイズや濃度や倍率などの設定、そしてコピー枚数の設定などを行うもので、種々のキー群３−１と、コピー状況を表示する液晶パネルなどで構成された表示部３−２とを有している。
【００１８】
取っ手部スイッチ５−１は、図５の（ａ）に示すように、取っ手部２−２の裏面に設けられ、給紙トレイ１−１の引き抜き操作を検知するものである。この取っ手部スイッチ５−１は、図５の（ｂ）に詳細に示すように、取っ手部２−２の内側すなわち引き出すときに手を掛ける部分に設けられた握り部５−３と、この握り部５−３を用紙セット部１１方向に常時弾性的に押圧するスプリング５−２と、このスプリング１４の弾性力に抗して握り部５−３を図５の（ａ）に矢印で示すトレイ引き抜き方向に押圧したときにオフとなる固定接点５−５と可動接点５−４とを有している。握り部５−３は、その上下方向に間隔をおいてほぼ水平に設けた複数の支柱部材５−５の各一端を握り部５−３に取り付け、各支柱部材５−５の他端側を取っ手部２−２内に摺動可能に差し込むことで、取っ手部２−２の裏面に取り付けられている。そして、取っ手部２−２の裏面と握り部５−３間の各支柱部材５−５にスプリング５−２を介在させている。可動接点５−４は、握り部５−３の略中央部分に各支柱部材５−６と平行にかつ相対するように一端が握り部５−３に設けられた接点棒部材５−７の他端に設けられている。したがって、取っ手部スイッチ５−１は、握り部５−３に手を掛けて取っ手部２−２の方向に押圧しない限り、スプリング５−２により固定接点５−５と可動接点５−４は接触し、オン状態を保持し、握り部５−３に手を掛けて取っ手部２−２の方向に押圧することにより固定接点５−５と可動接点５−４との接触は離れてオフ状態となる。このオンオフの信号は、コネクタ２−３を介して後述するエンジン制御部６−２に送られる。なお、各取っ手部スイッチ５−１のオンオフ信号はそれぞれ異なり，エンジン制御部６−２ではどの給紙トレイ１−１の取っ手部スイッチ５−１がオフになったかが判別できるようになっている。
【００１９】
次にこの複写機の制御システムを図６により説明する。図６は第１の実施の形態における全体構成を示すブロック図である。制御システムは全体のシステム制御を行うシステム制御部６−１と、各給紙トレイ１−１に設けられた取っ手部スイッチ５−１のオンオフ状態を管理し、必要な情報をシステム制御部６−１に出力するエンジン制御部６−２と、キー群３−１からの信号をシステム制御部６−１に送るとともに、システム制御部６−１やキー群３−１からの信号により所定の情報を表示部３−２に表示したり、警告音を発するためのブザー６−３の動作を操作する操作部１−２とから構成される。システム制御部６−１にはまた、給紙を指示した後所定の時間を経過しても用紙の搬送がないときは、用紙がないと判定する従来の複写機と同様な機能も併せ持っている。
【００２０】
以下、図７ないし図１０に示すフローチャートにしたがって、これら構成の詳細な動作を説明する。図７は給紙中の給紙トレイを操作した場合の警告の動作手順を示すフローチャート，図８は給紙中の給紙トレイを操作したとき、他の同サイズの給紙トレイから給紙を行う動作手順を示すフローチャート、図９は図８において、操作した給紙トレイの操作が解除された場合に元の給紙トレイから給紙を再開させる動作手順を示すフローチャート、図１０は給紙中の給紙トレイを操作したとき、他の同サイズの給紙トレイから給紙を行うか、給紙を停止するかを選択する場合の動作手順を示すフローチャートである。
【００２１】
最初に、給紙中の給紙トレイを操作した場合の警告の動作手順を示すフローチャートを示す図７にしたがって説明する。先ず最初に、全ての給紙トレイ１−１がセットされたかをコネクタ２−３の接続状態によりエンジン制御部６−２でチェックし(ステップ７−１)、その結果をシステム制御部６−１に伝える。セットが確認された場合は各取っ手部２−２の取っ手部スイッチ５−１がオフ状態にあるかをエンジン制御部６−２でチェックする(ステップ７−２)。給紙トレイ１−１のセットが完了していない場合や取っ手部スイッチ５−１の全てがオン状態の場合はステップ７−１に戻る。いずれかの給紙トレイ１−１の取っ手部２−２に操作者が指を掛けることにより、握り部５−３が給紙トレイ１−１の引き抜き方向に移動し、いずれかの取っ手部スイッチ５−１がオフとなると、その給紙トレイ１−１は現在給紙中のトレイであるかをエンジン制御部６−２を介してシステム制御部６−１によりチェックする(ステップ７−３)。給紙中のトレイでない場合はステップ７−１に戻る。一方、給紙中のトレイの場合は、システム制御部６−１は操作部１−２を介してブザー６−３を動作させて警告音を鳴らし（ステップ７−４）、操作者に指を掛けているトレイの操作をしないように注意をうながす。このように、実施に給紙トレイを引き抜く前に警告音を発するので、給紙動作は継続して行うことができる。したがって、不用意に取っ手部２−２に触れる程度では給紙動作は停止しないので、効率良く給紙動作をすることができる。
【００２２】
また、この第１の実施の形態においては、給紙中の給紙トレイを操作したとき、他の給紙トレイに同サイズの用紙がある場合、その給紙トレイから給紙を行うことができる。この動作手順を図８により説明すると、まず、図７のステップ７−２によりいずれかの取っ手部スイッチ５−１がオフであることが検知されると、それが現在給紙中の給紙トレイ１−１の取っ手部２−１が握られたかを否かをチェックし（ステップ８−１）、現在給紙中の給紙トレイ１−１の場合はブザーを鳴らして警告を発する（ステップ８−２）。警告音を発すると同時にそのトレイの用紙と同じサイズの用紙を収容したトレイがあるかを検索し（ステップ８−３）、同一サイズの用紙を収容した給紙トレイがあるか否かをチェックする（ステップ８−４）。同一サイズの用紙を収容した給紙トレイ１−１があった場合、該当する給紙トレイ１−１の用紙セット部２−４に用紙があるか否かをチェックする（ステップ８−５）。用紙がある場合は、取っ手部スイッチ５−１がオフとなっている元の給紙トレイ１−１と該当する用紙があった切り替え先の給紙トレイ１−１と退避中であることをシステム制御部６−１のバッファに保持、すなわちバッファリングする（ステップ８−６）。その後給紙トレイ１−１を切り替え先の給紙トレイに切り替えて、給紙を継続する。このようにして、給紙中の給紙トレイ１−１の取っ手部２−２が握られたとシステム制御部６−１が判断したときに、これと同一サイズの用紙が収容された給紙トレイ１−１があるか否かをシステム制御部は検索し、該当する給紙トレイが存在する場合は給紙をその給紙トレイから行うように切り替えるので、給紙動作を途中で止めることなく行うことができる。
【００２３】
ここで、引き抜かれた給紙トレイ１−１が再びセットされたり、取っ手部２−２の握りが開放された時は、システム制御部６−１は元の給紙トレイ１−１から給紙を再開するようにシステム制御部６−１は制御する。その動作手順を図９により説明すると、まず取っ手部２−２が握られて取っ手部スイッチ５−１がオフとなっていた給紙トレイ１−１の取っ手部２−２が開放され、取っ手部スイッチ５−１がオンとなったか否かをチェックする(ステップ９−１)。取っ手部スイッチ５−１がオンとなったときは、元の給紙トレイ１−１は退避中であり、退避の前は給紙を停止したか否かをチェックする(ステップ９−２)。元の給紙トレイ１−１は退避中で、退避の前は給紙を停止した場合は、給紙トレイ１−１を元の給紙トレイ１−１に復帰させ(ステップ９−３)、ステップ８−６でバッファに保持した退避情報をクリアする（ステップ９−４）。このように、引き抜かれたり、取っ手部２−２が握られた給紙トレイが、再びセットされたり、取っ手部２−２の握りが開放されたときには、元の給紙トレイ１−１から給紙するように切り替える。
【００２４】
さらに、この第１の実施の形態においては、システム制御部５−１は給紙中の給紙トレイを操作したとき、他の同サイズの給紙トレイから給紙を行うか、給紙を停止するかを操作部１−２のキー群３−１で選択することができる。その動作手順を図１０に示すフローチャートで説明する。まず、給紙中の給紙トレイ１−１の取っ手部２−１が握られたか否かをチェックする(ステップ１０−１)。給紙中の給紙トレイ１−１である場合は、操作部１−２を介してブザー６−３を動作させて警告音を発しさせるとともに、同一サイズの用紙は収容されている給紙トレイ１−１を検索する(ステップ１０−２)。同一サイズの用紙が収容された給紙トレイ１−１があるか否かをチェックし（ステップ１０−３）、同一サイズの用紙が収容された給紙トレイ１−１は無い場合はこの動作を終了する。
【００２５】
同一サイズの用紙が収容された給紙トレイ１−１がある場合は、システム制御部６−１は、この検索条件を満たす全ての給紙トレイ１−１の情報や、給紙を停止するか、あるいは給紙トレイ１−１を引き出さないことを選択肢として表示部３−２に表示するように操作部１−２に要求し（ステップ１０−４）、給紙トレイの変更か給紙中止はキー群３１−により選択させる。ここで、給紙中の給紙トレイ１−１の取っ手部２−２の握りが解除されたか否かをチェックし（ステップ１０−５）、解除された場合は給紙中の給紙トレイ１−１からの給紙を継続して行い、表示部３−２の選択表示を消去するように操作部１−２に通知する（ステップ１０−６）。一方、給紙中の給紙トレイ１−１の取っ手部２−２の握りが解除されない場合は、給紙トレイの変更か給紙中止に該当するキーの入力があったか否かをチェックし（ステップ１０−７）、キー入力がない場合はステップ１０−５に戻り、キー入力があった場合は給紙トレイ１−１の選択が行われたか否かをチェックする（ステップ１０−８）。給紙トレイ１−１の選択が行われた場合は、選択された給紙トレイ１−１から給紙するように切り替える（ステップ１０−９）。また、給紙トレイ１−１の選択が行われなかった場合は、給紙を停止する（ステップ１０−１０）。ステップ１０−９で給紙の切り替えが行われたり。ステップ１０−１０−で給紙を停止させた後は,ステップ１０−６に行く。このように、取っ手部２−２が握られた給紙トレイ１−１が給紙中の場合は、同一サイズの用紙が収容されている給紙トレイ１−１を検索し、同一サイズの給紙トレイ１−１が存在する場合には、「給紙トレイの変更」か、「給紙停止」か、「給紙トレイを引き出さない」かのいずれかを選択するように表示部３−２に表示する。そして、「給紙トレイの変更」か「給紙停止」は操作部１−２のキー群３−１で選択させ、また、取っ手部２−２の握りが解除された場合には、上記の表示を解除するので、操作者は「給紙トレイを引き出さない」の選択が行えことになる。また,同一サイズの用紙が収容された給紙トレイ１−１が存在しない場合は、「給紙停止」か「給紙トレイを引き出さない」の選択を上記と同様な方法で操作者に促すことができ、対話形式のユーザーインターフェイスを提供することができる。
【００２６】
上述した第１の実施の形態においては、従来の複写機に備えられた用紙の有無やサイズの検知機構を利用して給紙の制御を行っているが、第２の実施の形態においては、各給紙トレイ１−１に用紙の有無を検知する機構およびセットした用紙のサイズを設定する機構を設け、これらの機構によって用紙の有無や用紙サイズを表す信号を形成するようにしている。以下、図１１ないし図１５により第２の実施の形態における機構を説明する。図１１は本発明の第２の実施の形態の外観を概略的に示す斜視図、図１２は本発明の第２の実施の形態における給紙トレイの斜視図、図１３は図１２の給紙トレイの側面図、図１４は第２の実施の形態における給紙トレイと用紙有無検知機構の関係を説明するための図、図１５は図１２の給紙トレイの正面図である。
【００２７】
図１１に示すように、第２の実施の形態においては、各給紙トレイ１−１のトレイ前面部２−１に収容した用紙のサイズを設定する用紙サイズダイヤル１１−１が設けられている以外は、上述した第１の実施の形態と同じである。この用紙サイズダイヤル１１−１は、設定された用紙のサイズを表示する表示機能も備えている。また、図１４に示すように、複写機本体の各給紙トレイ１−１の差込み部には、用紙の有無を検知する用紙有無検知装置１４−１が設けられている。この用紙有無検知装置１４−１は、用紙の有無を検知するため一端が回動自在に支持され、その自由端が用紙と接触することによりその角度が変化するように設けられたフィラー１４−２と、このフィラー１４−２の角度変化を検知して用紙の有無を判定するためのフォトセンサ１４−３とで構成されている。一方、用紙が収められる用紙セット部２−４の底板１４−４は、スプリング１４−５により常時上方に弾性的に押し上げられており、底板１４−４上に載置された用紙１４−６をフィラー１４−２の自由端に接触させている。用紙１４−６が無くなると、フィラー１４−２の自由端は例えば底板１４−４に形成された凹所(図示しない)に落ち込み、その角度が大きく変わるので、用紙１４−６が無いことを確実に検知することができる。取っ手部スイッチは上述した第１の実施の形態における取っ手部スイッチ５−１と同じであるので、図面およびその説明は省略する。
【００２８】
次に、制御システムを図１６により説明する。図１６は第２の実施の形態における全体構成を示すブロック図である。この制御システムは、エンジン制御部６−２に、用紙有無検知装置１４−１によって各給紙トレイ１−１に用紙があるか否かを監視する用紙有無監視部１６−１と、用紙サイズダイヤル１１−１による用紙サイズダイヤル監視部１６−２が接続されている以外は,第１の実施の形態と同じ構成になっている。
【００２９】
以下、図１７ないし図２０に示すフローチャートにしたがって、これら構成の詳細な動作を説明する。図１７は給紙中の給紙トレイを操作したときの動作手順を示すフローチャート、図１８は給紙中に操作されたトレイが元の状態に戻ったときに給紙を再開する動作手順を示すフローチャート、図１９は給紙中に操作されたトレイが元の状態に戻ったときにその元のトレイの用紙を検知する動作手順を示すフローチャート、図２０は給紙中に操作されたトレイが元の状態に戻ったとき、その元のトレイに用紙が無いときや代替トレイの用紙と異なるサイズのときの動作手順を示すフローチャートである。
【００３０】
先ず,図１７により、給紙中の給紙トレイを操作したときの動作手順を説明する。
いずれかの給紙トレイ１−１の取っ手部スイッチ５−１がオフであることが検知されると、それが現在給紙中の給紙トレイ１−１の取っ手部２−１が握られたかを否かをチェックし（ステップ１７−１）、現在給紙中の給紙トレイ１−１の場合はブザーを鳴らして警告を発する（ステップ１７−２）。警告音を発するとともにその給紙トレイの用紙と同じサイズの用紙を収容したトレイがあるかを用紙サイズダイヤル監視部１６−２からの情報に基づいて検索し（ステップ１７−３）、同一サイズの用紙を収容した給紙トレイがあるか否かをチェックする（ステップ１７−４）。同一サイズの用紙を収容した給紙トレイ１−１がある場合は、該当する給紙トレイ１−１の用紙セット部２−４に用紙があるか否かを用紙有無監視部１−１からの情報に基づいてチェックし（ステップ１７−５）、用紙がある場合は、取っ手部スイッチ５−１がオフとなっている元の給紙トレイ１−１と該当する用紙があった切り替え先の給紙トレイ１−１と退避中であることをシステム制御部６−１のバッファに保持、すなわちバッファリングする（ステップ１７−６）。その後給紙トレイ１−１を切り替え先の給紙トレイに切り替えて、給紙を継続する。一方、ステップ１７−４において同一サイズの用紙を収容した給紙トレイ１−１が無い場合は、給紙動作を停止させ(ステップ１７−８)、以後の動作は行わない。また、ステップ１７−５で用紙が無いと判定されたときも以後の動作を停止させる。このようにして、給紙中の給紙トレイ１−１の取っ手部２−２が握られたとシステム制御部６−１が判断したときに、これと同一サイズの用紙が収容された給紙トレイ１−１があるか否かをシステム制御部は検索し、該当する給紙トレイが存在紙用紙がある場合は給紙をその給紙トレイから行うように切り替えて、給紙動作を途中で止めることはない。
【００３１】
また、始めに給紙を行っていた給紙トレイ１−１が引き出され、代替の給紙トレイ１−１から給紙を行っているときに、元の給紙トレイ１−１が再び挿入された場合、その給紙トレイ１−１に用紙があると検知され、代替の給紙トレイ１−１から元の給紙トレイ１−１に切り替えるようにもできる。その動作手順を図１８により説明する。まず、取っ手部２−２の握りが解除され、取っ手部スイッチ５−１がオンとなったか否かをチェックする(ステップ１８−１)。  取っ手部スイッチ５−１がオンとなり握りが解除されたときは、元の給紙トレイ１−１に用紙があるか否かを用紙有無監視部１６−１を介してチェックする（ステップ１８−２）。元の給紙トレイ１−１に用紙があると判定された場合は、代替の給紙トレイ１−１から元の給紙トレイ１−１に復帰させて（ステップ１８−３）、給紙を再開するとともに、ステップ１７−６においてバッファに保持した退避情報をクリアする（ステップ１８−４）。
【００３２】
第２の実施の形態はまた、代替の給紙トレイ１−１で給紙を行っているときに、始めに給紙を行っていた給紙トレイ１−１が再び挿入された際に、元の給紙トレイ１−１に用紙がありかつ代替の給紙トレイ１−１の用紙サイズと同一サイズの用紙が装填されていると判定された場合に代替の給紙トレイ１−１−から元の給紙トレイ１−１に給紙元を切り替えることもできる。その動作手順を図１９により説明する。取っ手部２−２の握りが解除され、取っ手部スイッチ５−１がオンとなったか否かをチェックし(ステップ１９−１)、  取っ手部スイッチ５−１がオンとなり握りが解除されたときは、元の給紙トレイ１−１に用紙があるか否かを用紙有無監視部１６−１を介してチェックする（ステップ１９−２）。元の給紙トレイ１−１に用紙があると判定された場合は、用紙サイズダイヤル監視部１６−２によりその用紙が代替の給紙トレイ１−１の用紙のサイズと同じであるか否かをチェックし（ステップ１９−３）、同じ場合は代替の給紙トレイ１−１から元の給紙トレイ１−１に復帰させて（ステップ１９−４）、給紙を再開するとともに、ステップ１７−６においてバッファに保持した退避情報をクリアする（ステップ１９−５）。
【００３３】
一方、代替の給紙トレイ１−１で給紙を行っているときに、始めに給紙を行っていた給紙トレイ１−１が再び挿入されても、元の給紙トレイ１−１に用紙がないと検知されたり、代替の給紙トレイとは異なるサイズの用紙が補充されたと判断されたときには警告音を発する。その動作手順を図２０により説明する。まず、取っ手部２−２の握りが解除され、取っ手部スイッチ５−１がオンとなったか否かをチェックし(ステップ２０−１)、  取っ手部スイッチ５−１がオンとなり握りが解除されたときは、元の給紙トレイ１−１に用紙があるか否かを用紙有無監視部１６−１を介してチェックする（ステップ２０−２）。元の給紙トレイ１−１に用紙があると判定された場合は、用紙サイズダイヤル監視部１６−２によりその用紙が代替の給紙トレイ１−１の用紙のサイズと同じであるか否かをチェックし（ステップ２０−３）、同じ場合は代替の給紙トレイ１−１から元の給紙トレイ１−１に復帰させて（ステップ２０−４）、給紙を再開するとともに、ステップ１７−６においてバッファに保持した退避情報をクリアする（ステップ２０−５）。
【００３４】
このステップ２０−１ないし２０−５までの動作手順は図１９と間会った区おなじであるが、ステップ２０−２で元の給紙トレイに用紙が無い場合、そしてステップ２０−３で補充された用紙が代替の給紙トレイ１−１の用紙のサイズと異なる場合はいずれもブザー６−３を動作させて警告音を発する（ステップ２０−６）。
【００３５】
【発明の効果】
これまでの説明から明らかなように、本発明によれば、給紙中の給紙トレイが引き出され、給紙ができなくなることによる生産性の減少を未然に防ぐことができる。
【図面の簡単な説明】
【図１】本発明の第１の実施の形態の外観を概略的に示す斜視図である。
【図２】第１の実施の形態における給紙トレイを示す斜視図である。
【図３】図２の給紙トレイの側面図である。
【図４】図２の給紙トレイの正面図である。
【図５】図２の取っ手部の構造を示す図で、（ａ）は取っ手部と取っ手部スイッチの関係を示す従断面図、（ｂ）は取っ手部スイッチのみを拡大して示す断面図である。
【図６】第１の実施の形態における全体構成を示すブロック図である。
【図７】給紙中の給紙トレイを操作した場合の警告の動作手順を示すフローチャートである。
【図８】給紙中の給紙トレイを操作したとき、他の同サイズの給紙トレイから給紙を行う動作手順を示すフローチャートである。
【図９】図８において、操作した給紙トレイの操作が解除された場合に元の給紙トレイから給紙を再開させる動作手順を示すフローチャートである。
【図１０】給紙中の給紙トレイを操作したとき、他の同サイズの給紙トレイから給紙を行うか、給紙を停止するかを選択する場合の動作手順を示すフローチャートである。
【図１１】本発明の第２の実施の形態の外観を概略的に示す斜視図である。
【図１２】本発明の第２の実施の形態における給紙トレイの斜視図である。
【図１３】図１２の給紙トレイの側面図である。
【図１４】第２の実施の形態における給紙トレイと用紙有無検知機構の関係を説明するための図である。
【図１５】図１２の給紙トレイの正面図である。
【図１６】第２の実施の形態における全体構成を示すブロック図である。
【図１７】給紙中の給紙トレイを操作したときの動作手順を示すフローチャートである。
【図１８】給紙中に操作されたトレイが元の状態に戻ったときに給紙を再開する動作手順を示すフローチャートである。
【図１９】給紙中に操作されたトレイが元の状態に戻ったときにその元のトレイの用紙を検知する動作手順を示すフローチャートである。
【図２０】給紙中に操作されたトレイが元の状態に戻ったとき、その元のトレイに用紙が無いときや代替トレイの用紙と異なるサイズのときの動作手順を示すフローチャートである。
【符号の説明】
１−１  給紙トレイ（給紙段）
１−２  操作部
２−２  取っ手部
２−３  コネクタ
３−１  キー群
３−２  表示部
５−１  取っ手部スイッチ
５−３  握り部
５−４  可動接点
５−５  固定接点
６−１  システム制御部
６−２  エンジン制御部
６−３  ブザー
１１−１  用紙サイズダイヤル
１４−１  用紙有無検知装置
１６−１  用紙有無監視部
１６−２  用紙サイズダイヤル監視部
【図１】
0003926530.tif 000002
【図２】
0003926530.tif 000003
【図３】
0003926530.tif 000004
【図４】
0003926530.tif 000005
【図５】
0003926530.tif 000006
【図６】
0003926530.tif 000007
【図７】
0003926530.tif 000008
【図８】
0003926530.tif 000009
【図９】
0003926530.tif 000010
【図１０】
0003926530.tif 000011
【図１１】
0003926530.tif 000012
【図１２】
0003926530.tif 000013
【図１３】
0003926530.tif 000014
【図１４】
0003926530.tif 000015
【図１５】
0003926530.tif 000016
【図１６】
0003926530.tif 000017
【図１７】
0003926530.tif 000018
【図１８】
0003926530.tif 000019
【図１９】
0003926530.tif 000020
【図２０】
0003926530.tif 000021